(57)【要約】【課題】従来の精子採取器は、複雑で容積の大きな構成のものであるとともに、使用にあたっては手指の動作を必要とするものであって、清掃、保管及び使用方法上に制約のあるものとなっていた。【解決手段】軟質樹脂素材からなるサック本体の外面部に開口部を有する一つ以上の嚢状収納部が一体的に成形され、当該収容部に本体素材より硬質な素材からなる中込部材を嵌入するようにしてなる精子採取サック。【選択図】図１
2015093180.tif 000002
【特許請求の範囲】
【請求項１】
男性器のマッサージにより精子を採取するための軟質樹脂素材からなる精子採取サックであって、サック本体の外面部に開口部を有する一つ以上の嚢状収納部が本体と一体的に成形され、当該収容部に本体素材より硬質な素材からなる中込部材を嵌入することを特徴とする精子採取サック
【請求項２】
中込部材は、電気式の振動器又は加温器であることを特徴とする請求項１に記載の精子採取サック
【発明の詳細な説明】
【技術分野】
【０００１】  本発明は、男性器のマッサージにより精子を採取するためのゲル状樹脂素材からなる精子採取サックに関する。
【背景技術】
【０００２】  医療的な観点等から男性器のマッサージにより精子を採取する精子採取器として、さまざまな技術が開発されている（例えば特許文献１〜特許文献３）。
【特許文献１】  特許第５２６０８６６号公報
【特許文献２】  特開２００６−２１２３９５公報
【特許文献３】  特開２０１３−４６７４７公報
【０００３】  これらの精子採取器は、特許文献１や特許文献３のように、男性器の刺激の手段や使用感に対する需要の多様化に対応するために複数の部材からなる複雑で容積の大きなものとなり、本来必要とされる清掃、保管の容易性の観点からは、器具としての過度の構成を呈するものとなっていた。【０００４】  一方、特許文献２のように、単純な構成ながら男性器の刺激に手指を用いることになり、例えば手指の機能に支障のある需要者の利用は困難なものとなっていた。また、特許文献１や特許文献３の公知技術も男性器への刺激手段としては手指の動作によるもので、需要者によっては利用が困難なものとなっている。【０００５】  こうした公知の技術による精子採取器は、器具としての複雑で大きな容積となる過度な構成や、手指の動作による操作も、精子採取の行為に対する需要者のデリカシーや使用上のバリアフリーの観点からも、改善が求められるものであった。
【発明の開示】
【発明が解決しようとする課題】
【０００６】  公知技術による精子採取器は、複雑で容積の大きな構成のものであるとともに、使用にあたっては手指の動作を必要とするものであって、清掃、保管及び使用方法上に制約のあるものとなっていた。【０００７】  また、予め具備する部材構成に限定されるため、例えば需要者の使用上の需要に応じて男性器への刺激の与え方を調整できるものではなかった。
【課題を解決する手段】
【０００８】  本願発明者らは、可能な限り簡素な構成で、清掃性や保管容易性を確保するとともに、精子採取器として求められる男性器への刺激の与え方を多様に調整できる方法について鋭意研究を重ねたうえで、公知技術にはない技術的な思想を創造するに至り本願発明をなした。
【０００９】  精子採取器本体を、簡便なサック状の陰茎収容器としたうえで、当該サックの外面部に開口部をもった嚢状収容部を設け、そこに需要者の需要に応じて中込部材を嵌入できるようにすることで、上記課題を解消した精子採取器を実現できることを見出した。
【００１０】  すなわち、本願請求項１の発明は、男性器のマッサージにより精子を採取するための軟質樹脂素材からなる精子採取サックであって、サック本体の外面部に開口部を有する一つ以上の嚢状収納部が本体と一体的に成形され、当該収容部に本体素材より硬質な素材からなる中込部材を嵌入することを特徴とする精子採取サックである。
【００１１】  また、本願請求項２の発明は、中込部材は、電気式の振動器又は加温器であることを特徴とする本願請求項１の精子採取サックである。
【発明の効果】
【００１２】  本願発明により、可能な限り簡素な構成で、清掃性や保管容易性を確保するとともに、精子採取器として求められる男性器への刺激の与え方を多様に調整するできる精子採取サックを提供できる。
【図面の簡単な説明】
【００１３】
【図１】本願発明の精子採取サックの実施例の外観図
【図２】本願発明の清酒採取サックの嚢状収容部に中込部材を嵌入した実施例を示す断面図
【発明を実施するための最良の形態】
【００１４】  本願発明の精子採取サックは、サック本体に外面部から中込部材を嵌入することができる嚢状収容部を有したサック状器具である。図１に示すように、外観上はコンドームの如くの簡素なサック状の形状をなし、その外面上には嚢状収容部（破線で示す）への中込部材の嵌入のための小さな開口部が配されたものである。【００１５】  こうした嚢状収容部に、図２に示すように、中込部材を嵌入して、サックの内面部に凸部を形成できるようになっている。中込部材は需要者の求める位置の嚢状収容部に嵌入すればよく、中込部材は本体素材よりも硬質な任意の形状の部材や、本願請求項２の発明のとおり電気式の振動器や加温器を任意に選択し嚢状収容に嵌入して使用する。【００１６】  サック本体の材料は、シリコーンゴム等のエラストマーや加硫ゴムなど軟質樹脂素材からなる。外面部に小さな開口部を持った嚢状収容部が一体的に成形されるので、軟質樹脂素材は熱溶解させたうえで、鋳型成形手段により一体成形される。【００１７】  サック本体の樹脂素材の厚みは、嚢状収容部が一体的に成形される限りは任意の厚さを選択できる。またその形状も、コンドーム状に陰茎を密着収容するものであってもよいし、装着したうえで容易に脱落しない程度のサック内部空間のゆとりを持たせたものでもよい。【００１８】  サック本体は中込部材を取り外せば、容易に裏返す（内外を反転する）ことができるので、使用前後に極めて容易に水洗いなど清掃が可能である。また、非常に簡素な軟質素材の一体成型品であるため、非常にコンパクトに折り畳むなどして保管しておくことができる。【００１９】  嚢状収容部は、外表面上に小さな開口部を持ったものであるが、軟質素材の引張強度が許容する範囲で拡げることができるので、中込部材の断面径を適切に設計すれば容易に中込部材を嵌入又は取り出しすることができる。【００２０】  嚢状収容部の内部も、軟質素材の伸張の範囲で収容可能なように中込部材の形状や大きさを設計すればよく、嵌入収容される中込部材もその範囲で任意の形状とすることができる。【００２１】  中込部材は、軟質素材からなる本体と一体に成形された嚢状収容部を若干でも引き延ばして収容されるものであるため、本体素材よりも硬質な素材からなるものである。中込部材が嚢状収容部に嵌入収容されることでサックの内面部に凸状の突起が形成されるが、本体の弾性によりサック本体は陰茎に密着する。【００２２】  中込部材は、需要者の需要に応じて嵌入収容されればよく、サック本体を陰茎に装着する前に、適宜中込部材を任意に配された嚢状収容部に収容しておけばよいが、陰茎にサック本体を装着したのちでも適宜嚢状収容に中込部材を嵌入してもよい。【００２３】  さらに、本願請求項２の発明のとおり、中込部材は電気式の振動子による振動器や電気式の加温器（ヒーター）と一体となったものも任意に選択される。手指に機能的な障害があるときや、腱鞘炎等の症状のあるときは、振動器中込部材を利用して男性器を刺激することができ、精子採取の目的をバリアフリーに実現することができる。【００２４】  但し、サック本体は陰茎に装着されるものであるので、中込部材は鋭利な端部や電気的な危険性（漏電や過熱）のないよう安全面に��慮された設計によるものであることが必要である。【００２５】  その他、中込部材としては空気等の流体を充てん膨張させるバルーンなども想定されるが、嚢状収容部に収容して中込部材として用いられるものであれば任意の動機構を持ったものも選択されうるものであり、それらもまた本願発明の範囲に含まれるものである。
【産業上の利用可能性】
【００２６】  本願発明の精子採取サックによれば、極めて単純な構成で清掃、保管が可能となり、中込部材も任意に選択嵌入されうるので、バリアフリー性や使用者のデリカシーに配慮した用品として利用者らの需要に応えることができる。
【符号の説明】
【００２７】１  精子採取サック本体
２  嚢状収容部
３  嚢状収容部開口部
４  中込部材
【図１】
2015093180.tif 000003
【図２】
2015093180.tif 000004